(57)【要約】【課題】クロス止めをした際に、上下２段の突出部の間の基材シートに皺が生じにくいおむつを提供することにある。【解決手段】おむつの背側の両側部に外方へ突出するファスニング基材シートが設けられるとともに、この基材シートより外方に突出する少なくとも上下２段の突出部が形成されるとともに、前記突出部の内面に粘着剤層又は面ファスナー要素を含む止着手段が設けられ、前記止着手段を介して、前記基材シートをおむつの腹側外表面に止着するようにした使い捨ておむつであって、前記上下突出部間において、基材シートの先端側から基端側へ向かって折り曲げ線が形成された。【選択図】図９
2014198196.tif 000002
【特許請求の範囲】
【請求項１】
おむつの背側の両側部に外方へ突出するファスニング基材シートが設けられるとともに、この基材シートより外方に突出する少なくとも上下２段の突出部が形成されるとともに、前記突出部の内面に粘着剤層又は面ファスナー要素を含む止着手段が設けられ、前記止着手段を介して、前記基材シートをおむつの腹側外表面に止着するようにした使い捨ておむつであって、
前記上下突出部間において、基材シートの先端側から基端側へ向かって折り曲げ線が形成されたことを特徴とする使い捨ておむつ。
【請求項２】
前記上下突出部間において、基材シートの先端側から基端側へ向かって斜めに切れ込みが形成された請求項１記載の使い捨ておむつ。
【請求項３】
前記切れ込みは、基材シートの先端側から基端側へ向かって斜め下方に設けられた請求項２記載の使い捨ておむつ。
【請求項４】
前記切れ込みは、基材シートの先端側から基端側へ向かって斜め上方に設けられた請求項２または３記載の使い捨ておむつ。
【請求項５】
前記切れ込みと折り曲げ線との間の角度が、３０°〜６０°の範囲内にある請求項２〜４のいずれか１項に記載の使い捨ておむつ。
【請求項６】
前記基材シートの先端部に、基材シートの先端側から基端側へ向かって弾性伸縮部材が設けられた請求項１〜５のいずれか１項に記載の使い捨ておむつ。
【発明の詳細な説明】
【技術分野】
【０００１】
本発明は、おむつの背側の両側部に設けたファスニングテープをおむつの腹側外表面に止着することによって着用者に装着する使い捨ておむつ（以下、「テープ式おむつ」という。）に関するものである。
【背景技術】
【０００２】
従来から市販されているテープ式おむつは、おむつの背側の両端部に外方へ突出するファスニング基材シートを設け、このファスニング基材シートより外方へ突出する上下２段の突出部を形成し、前記突出部の内面に粘着剤層や面ファスナー要素を設けたものが多い。
【０００３】
そのほかには、おむつの背側の両端部に外方へ突出する上下２本の別体のファスニング基材シートを設け、この基材シートの先端側端部の内面に粘着剤層や面ファスナー要素を設けたものも知られている。しかし、この形態の場合には、上下２本のファスニング基材シートをおむつ本体に取付ける際に、２本分の位置合わせが必要となるため、生産効率が悪くなる。そのため、おむつの背側の両端部に設ける基材シートの数は、一方の端部に一つ、他方の端部に一つであることが好ましい。
【０００４】
この市販されているテープ式おむつの装着方法は、着用者が任意に決めることができるが、以下の２通りの方法が大勢である。
【０００５】
１つ目の方法としては、上下２段の突出部を略平行の状態でおむつの腹側外表面に止着する「通常止め」である。この装着方法は、着用者が標準的な体型である場合や太った体型である場合によく見られる。
【０００６】
２つ目の方法としては、上下２段の突出部を互いに交差させるようにしながらおむつの腹側外表面に止着する「クロス止め」である。この装着方法は、着用者が痩せた体型である場合によく見られる。
【０００７】
このクロス止めを可能にするおむつについては、様々な課題がある。
【０００８】
例えば、上下のファスニング部が重なり合い、先に装着されたファスニング部が後から装着するファスニング部の装着を邪魔したり、装着強度を低下させたりする。また、重なりを回避するために、後から装着するファスニング部の装着位置を最適な位置からわざわざずらす必要が生じることもある。このような課題を解決するために、特許文献１では、上側ファスニング部と下側ファスニング部の横方向に沿った寸法を互いに違う長さにしたおむつを提案している。
【０００９】
また、ファスニング基材シートを製造する過程において、トリム（余分な廃棄物）の発生を無くすために、基材シートを波状周期曲線によって切断すると、突出部の基端から粘着剤層あるいは面ファスナーまでの距離が必然的に短くなってしまう。そのようなファスニング基材シートは、クロス止めが困難となる。このような課題を解決するために、特許文献２では、突出部の間のファスニング部分に対して、外側縁から内方側に至ってミシン目を形成したおむつを提案している。このミシン目を引き裂くことにより、実質的に突出部の基端から粘着剤層又は面ファスナーまでの距離を十分に確保できるようにして、クロス止めを可能にしている。
【先行技術文献】
【特許文献】
【００１０】
【特許文献１】特開２０１１−２２４０９９号公報
【特許文献２】特開２００５−１６０５０６号公報
【発明の概要】
【発明が解決しようとする課題】
【００１１】
前記特許文献１および２の課題のほか、図１０に示すように、クロス止めをしたときに、上下２段の突出部の根本部分（図１０においては、上下２段の突出部間の基材シートが切り裂かれているため、切り裂かれた端部）が立ち上がってしまう。そして、この立ち上がった部分１９に圧力がかかり、立ち上がった部分が潰れることにより、皺が生じるという問題がある。この皺の部分は、基材シートが何層にも重なるため、他の部分よりも固くなる。また、基材シートの重なる枚数に応じて、段差も生じる。そのため、着用者が横向きで寝ているときに、寝具等と身体の間にこの皺の部分がくると、腸骨部に圧力がかかり、褥瘡のできる可能性がある。
【００１２】
クロス止めをしないことによって、上記の問題を解消することができる。しかし、クロス止めをしないと、着用者が痩せた体型である場合に、着用者の身体におむつがフィットしにくいという問題がある。
【００１３】
そこで、本発明の主たる課題は、クロス止めをした際に、上下２段の突出部の間の基材シートに皺が生じにくいおむつを提供することにある。
【課題を解決するための手段】
【００１４】
上記課題を解決した本発明は次記のとおりである。
＜請求項１記載の発明＞
おむつの背側の両側部に外方へ突出するファスニング基材シートが設けられるとともに、この基材シートより外方に突出する少なくとも上下２段の突出部が形成されるとともに、前記突出部の内面に粘着剤層又は面ファスナー要素を含む止着手段が設けられ、前記止着手段を介して、前記基材シートをおむつの腹側外表面に止着するようにした使い捨ておむつであって、
前記上下突出部間において、基材シートの先端側から基端側へ向かって折り曲げ線が形成されたことを特徴とする使い捨ておむつ。
【００１５】
（作用効果）
基材シートが折り曲げ線に沿って折り曲がるため、意図しない箇所での折れ曲がりを防ぐことができる。その結果、基材シートの一部が何層にも重なり、その部分が他の部分よりも極端に固くなることを防ぐことができる。
【００１６】
＜請求項２記載の発明＞
前記上下突出部間において、基材シートの先端側から基端側へ向かって斜めに切れ込みが形成された請求項１記載の使い捨ておむつ。
【００１７】
（作用効果）
斜めに切れ込みを入れた分だけ、クロス止めの自由度が向上する。
【００１８】
＜請求項３記載の発明＞
前記切れ込みは、基材シートの先端側から基端側へ向かって斜め下方に設けられた請求項２記載の使い捨ておむつ。
【００１９】
（作用効果）
クロス止めする際に、下側の突出部を上側の突出部よりも先に止着する方が、おむつを着用者の身体に密着させやすい。それとともに、おむつによって身体を適度に締め付けることができる。
【００２０】
そこで、本発明では、切れ込みを斜め下方へ向かって設けている。これにより、下側の突出部を先に止着してクロス止めを行った際に、基材シートに皺が入りにくくなる。
【００２１】
＜請求項４記載の発明＞
前記切れ込みは、基材シートの先端側から基端側へ向かって斜め上方に設けられた請求項２または３記載の使い捨ておむつ。
【００２２】
（作用効果）
切れ込みを斜め上方へ向かって設けることにより、上側の突出部を先に止着してクロス止めを行った際に、基材シートに皺が入りにくくなる。
【００２３】
＜請求項５記載の発明＞
前記切れ込みと折り曲げ線との間の角度が、３０°〜６０°の範囲内にある請求項２〜４のいずれか１項に記載の使い捨ておむつ。
【００２４】
（作用効果）
クロス止めをしたときに上側突出部と下側突出部のなす角度は、クロス止めのしやすさから、６０°〜１２０°の範囲内にあることが好ましい。上側突出部と下側突出部を前記の角度で止着したときに、切れ込みと折り曲げ線との間の角度を３０°〜６０°の範囲内にすることで、基材シートに皺が入りにくくなる。
【００２５】
＜請求項６記載の発明＞
前記基材シートの先端部に、基材シートの先端側から基端側へ向かって弾性伸縮部材が設けられた請求項１〜５のいずれか１項に記載の使い捨ておむつ。
【００２６】
（作用効果）
基材シートの先端部が伸縮するため、クロス止めをする際に、上側突出部または下側突出部をおむつの幅方向内側へ引っ張り、止着することができる。そして、このような位置で止着した場合であっても、基材シートに皺が入りにくくなる。
【発明の効果】
【００２７】
以上のとおり本発明によれば、クロス止めをした際に、上下２段の突出部の間の基材シートに皺が生じにくくなる。
【図面の簡単な説明】
【００２８】
【図１】本発明にかかるおむつを内面側からみた平面図である。
【図２】図１の基材シート部分を拡大した平面図である。
【図３】基材シートの先端側縁から基端側へ向かって斜め下方に切れ込みを設けるとともに、斜め上方にも切れ込みを設けた例を示した平面図である。
【図４】基材シートの先端側縁から基端側へ向かって、略水平方向に切れ込みを設けるとともに、前記切れ込みの基端部から基端側へ向かってさらに斜め下方へ切れ込みを設けた例を示した平面図である。
【図５】基材シートの先端部に弾性伸縮部材を設けた例を示した平面である。
【図６】本発明に係る基材シートをクロス止めしたときの平面図である（上側突出部と下側突出部の間の角度を９０°にして止着した場合）。
【図７】切れ込みの先端側端部および折り曲げ線の先端側端部を離間させた例を示した平面図である。
【図８】切れ込みの先端側端部および折り曲げ線の先端側端部を基材シートの先端側縁と離間させた例を示した平面図である。
【図９】本発明に係る基材シートをクロス止めしたときの斜視図である。
【図１０】従来の基材シートをクロス止めしたときの斜視図である。
【発明を実施するための形態】
【００２９】
以下、本発明の一実施形態について、添付図面を参照しながら詳説する。
なお、本発明に係る使い捨ておむつを展開した状態で、着用者に近い側の面を「内面」といい、遠い側の面を「外面」という。また、着用者に近い側を「内面側」といい、遠い側を「外面側」という。
【００３０】
また、基材シート８に関し、基材シート８を展開した状態で、使い捨ておむつの幅方向外側を「先端側」といい、幅方向中央側を「基端側」という。
【００３１】
また、基材シート８に関し、使い捨ておむつの長手方向と同じ方向を上下方向という。            
【００３２】
そして、基材シート８に関し、基材シート８を展開した状態で、上下方向上側を「上端側」といい、上下方向下側を「下端側」という。さらに、基材シート８の上端側端縁を「上端」といい、基材シート８の下端側端縁を「下端」という。
【００３３】
（おむつの全体構造）
図１は、本発明に係る使い捨ておむつ２００を示している。この使い捨ておむつ２００は、股間部と、その前後両側に延在する腹側部分Ｆ及び背側部分Ｂとを有するものである。各部の寸法は適宜定めることができる。
【００３４】
本実施例に係るテープ式使い捨ておむつ２００は、外面側にバックシート１を有し、内面側に向かって順に、液不透過性シート１５、吸収体３、トップシート２を積層した構造を有している。なお、図示はしないが、吸収体３とトップシート２の間にセカンドシート１６を設けるようにしても良い。
【００３５】
本発明においては、着用者の肌に最も近い側にあるシートをトップシート２という。このトップシート２は、複数枚の単位シートから構成される。
【００３６】
吸収体３の外側には、液不透過性シート１５が吸収体３の周縁より若干食み出すように設けられている。液不透過性シート１５としては、遮水性を有するものが好ましく、ポリエチレンフィルム等のほか、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００３７】
また、液不透過性シート１５の外面は、不織布からなるバックシート１により覆われており、このバックシート１は、所定の食み出し幅をもって液不透過性シート１５の周縁より外側に食み出している。バックシート１としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３８】
前記のように、吸収体３の内面に、セカンドシート１６を設けても良い。セカンドシート１６の側縁から吸収体３が一部食み出すようにセカンドシート１６の幅を設けても良いし、吸収体３の側縁が食み出さないようにセカンドシート１６の幅を広げることもできる。セカンドシート１６としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。本発明においては、このセカンドシート１６を省略する形態も考えることができる。
【００３９】
また、前記おむつの腹側表面には、幅方向に沿ってフロントターゲットテープ６が設けられている。このフロントターゲットテープ６に後述する止着手段５を止着することによって、おむつが身体に装着される。
【００４０】
（基材シート）
使い捨ておむつ２００の背側方向両端部において、バックシート１とトップシート２の間にファスニング基材シート８が設けられる。この基材シート８とバックシート１やトップシート２は、ホットメルト接着剤等により接着されている。なお、この基材シート８は、必ずしもバックシート１とトップシート２の間に設けなくても良い。具体的には、バックシート１の外面側や、トップシート２の内面側に設けるようにしても良い。
【００４１】
この基材シート８は、ホットメルト接着等によって、基端側がおむつ本体に固着される。そして、基端側から先端側へ向かって延在するように設けられる。
【００４２】
基材シート８は、複数枚の不織布ＮＦを貼り合わせて形成することも、一枚の不織布ＮＦで形成することもできる。この不織布ＮＦとしては公知のものを用いることができる。不織布ＮＦを構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布ＮＦの加工方法としては、スパンレース法、スパンボンド法、ＳＭＳ法、サーマルボンド法、メルトブローン法、ニードルパンチ法、エアスルー法、ポイントボンド法等の公知の方法を用いることができる。特にオレフィン系繊維を用いたスパンボンド不織布、ＳＭＳ不織布が好ましい。使用する不織布ＮＦの坪量は適宜定めることができるが、着用者の肌に触れることと、一定の強度が必要になることから、高目付の不織布が望ましく、好ましくは５０〜１００ｇ／ｍ2の坪量を有するのが好ましい。
【００４３】
（突出部）
前記基材シート８の先端側には、外方へ突出する少なくとも上下２段の突出部１２が形成される。この突出部１２は、基材シート８自体を外方へ突出させることによって形成しても良いし、基材シート８とは別体の部材を用意し、ホットメルト等によって、それを基材シート８と固着することによって形成しても良い。突出部１２を基材シート８とは別体の部材により形成する場合、その素材には不織布や弾性伸縮部材を用いることができる。弾性伸縮部材としては、例えば、スチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。不織布としては、例えば、前記基材シート８と同様の素材を用いることができる。なお、基材シート８と別体の部材を用いて突出部１２を形成した場合であっても、その突出部１２を基材シート８の一部とみなして、本発明を説明する。
【００４４】
なお、前記突出部１２は、少なくとも上下２段からなる。上下３段以上の突出部１２を設けるようにしても良いが、製造の容易性や装着時の便宜性を考慮すると段数は少ないほうが好ましく、上下２段からなるものが特に好ましい。上側の突出部１２Ａと下側の突出部１２Ｂの間には、両突出部１２Ａ、１２Ｂが離間した部分（谷部１３）が形成される。
【００４５】
（止着手段）
前記突出部１２の内面、または基材シート８の先端側の内面には、粘着剤層２０や面ファスナー要素９といった止着手段５が設けられる。この粘着剤層２０としては、例えば、ポリアクリル酸エステルを主体としたアクリル系接着剤や、天然ゴムまたは合成ゴムの弾力性成分を主体とした粘着付与剤を主成分として、これに可塑剤、老化防止剤などが配合されているゴム系接着剤などを使用することができる。その他、ホットメルト接着剤なども使用可能である。また、面ファスナー要素９としては、面ファスナーのフック材やループ材を用いることができる。
【００４６】
止着手段５として、面ファスナー要素９を設ける場合においては、おむつの腹側表面に設けたフロントターゲットテープ６と面ファスナー要素９とを脱着可能に止着できるようにする。例えば、突出部１２に設けた面ファスナー要素９をフック材とした場合、フロントターゲットテープ６はループ材とする。また、突出部１２に設けた面ファスナー要素９をループ材とした場合、フロントターゲットテープ６をフック材とする。フック材の突起形状は公知のものを用いることができ、例えば鉤状、きのこ状、錯状を挙げることができる。
【００４７】
なお、面ファスナー要素９とフロントターゲットテープ６との剥離強度は、３００〜８００ｇｆとなるようにするのが好ましい。
【００４８】
（折り曲げ線）
前記上下突出部１２Ａ、１２Ｂ間においては、基材シート８の先端側から基端側へ向かって折り曲げ線１７が形成される。この折り曲げ線１７は、基材シート８の内面を内側にして折り畳む山折り線からなる。
【００４９】
前記折り曲げ線１７は、例えば、基材シート８に溝やエンボスを付加することによって、形成することができる。このとき、基材シート８を山折りしやすいように、基材シート８の内面側から溝やエンボスを付加し、基材シート８の内面側に凹部が形成されるようにすると良い。
【００５０】
そのほか、破断しない程度の間隔（約３〜５ｍｍ）を空けたミシン目を設けることによって、折り曲げ線１７を形成しても良い。また、ミシン目ではなく、円形や楕円形等の貫通孔を破断しない程度の間隔（約３〜５ｍｍ）を空けて複数開けることによって、形成しても良い。
【００５１】
このようにして形成した折り曲げ線１７は、基材シート８よりも剛性が低いものとなる。
【００５２】
この折り曲げ線１７を形成する位置は、任意に定めることができる。例えば、図２に示すように、基材シート８の上下方向を基準にして、上下突出部１２Ａ、１２Ｂ間の基材シート８の先端側縁から基端側へ向かって、水平方向に形成することができる。また、斜め下方もしくは斜め上方に形成しても良い。
【００５３】
そのほか、基材シート８の上下方向を基準にして、後述の切れ込み１１部分から基端側へ向かって、水平方向に形成することもできる。また、斜め上方もしくは斜め下方に形成しても良い。
【００５４】
また、前記折り曲げ線１７を直線状に設けたときが、最も皺が生じにくい。しかし、本発明はこれに限られるものではなく、曲線状や波状に設けても良い。
【００５５】
前記の折り曲げ線１７を設けることにより、基材シート８が折り曲げ線１７に沿って折り曲がるため、意図しない箇所での折れ曲がりを防ぐことができる。その結果、基材シート８の一部が何層にも重なり、その部分が他の部分よりも極端に固くなることを防ぐことができる。
【００５６】
前記の例のほか、折り曲げ線１７を複数設けるようにしても良い。折り曲げ線１７を複数設けることにより、基材シート８の折り曲げ位置を任意に調整することができ、折り曲げる角度の自由度が向上するという利点がある。
【００５７】
折り曲げ線１７を複数設ける場合は、各折り曲げ線１７の基端側端部の位置をほぼ同一の位置にして、そこから放射線状に折り曲げ線１７を設けるようにするのが好ましい。
【００５８】
さらに、図８に示すように、前記折り曲げ線１７の先端側端部は、基材シート８の先端側縁と接していなくても良い。例えば、前記基材シート８の先端側縁から基端側へ所定の間隔を空けた位置に、折り曲げ線１７の先端側端部を設けても良い。
【００５９】
（切れ込み）
前記上下突出部１２Ａ、１２Ｂ間においては、基材シート８の先端側から基端側へ向かって切れ込み１１が形成される。この切れ込み１１としては、例えば、予め打ち抜いた形態を挙げることができる。そのほかの形態としては、ミシン目であっても良いし、円形や楕円形等の貫通孔を所定の間隔を空けて複数開けたものであっても良い。ミシン目や貫通孔を設けた場合は、製品状態で既に切断されているカット部とカット部の間の部分（タイ部）を、需要者がカットすることで、連続する切れ込み１１となる。
【００６０】
この切れ込み１１を形成する位置は、任意に定めることができる。例えば、基材シート８の上下方向を基準にして、上下突出部１２Ａ、１２Ｂ間の基材シート８の先端側縁から基端側へ向かって、水平方向に形成することができる。
【００６１】
なお、クロス止めをする際に、下側の突出部１２Ｂを上側の突出部１２Ａよりも先に止着すると、おむつの股間部側のフィット性が良くなり、体液の漏れ防止効果が上がる。
【００６２】
そのため、本発明では、図２に示すように、基材シート８の上下方向を基準にして、上下突出部１２Ａ、１２Ｂ間の基材シート８の先端側縁から基端側へ向かって斜め下方に切れ込み１１を設けることが好ましい。これにより、下側の突出部１２Ｂを先に止着してクロス止めを行った際に、基材シート８に皺が入りにくくなる。
【００６３】
そのほか、基材シート８の上下方向を基準にして、上下突出部１２Ａ、１２Ｂ間の基材シート８の先端側縁から基端側へ向かって斜め上方に設けるようにしても良い。切れ込み１１を斜め上方へ向かって設けることにより、上側の突出部１２Ａを先に止着してクロス止めを行った際に、基材シート８に皺が入りにくくなる。
【００６４】
また、前記切れ込み１１と折り曲げ線１７との間の角度αは、３０°〜６０°の範囲内になるようにすることが好ましい。
【００６５】
図６に示すように、クロス止めをしたときに上側突出部１２Ａと下側突出部１２Ｂのなす角度βは、クロス止めのしやすさから、６０°〜１２０°の範囲内にあることが好ましい。上側突出部１２Ａと下側突出部１２Ｂを前記の６０°〜１２０の角度で止着したときに、切れ込み１１と折り曲げ線１７との間の角度αを３０°〜６０°の範囲内にすることで、基材シート８に皺を入りにくくすることができる。
【００６６】
また、クロス止めをしたときに上側突出部１２Ａと下側突出部１２Ｂのなす角度βは、クロス止めのしやすさと、止着した基材シート８の剥がれにくさ（安定性）の観点から、９０°にすることがより好ましい。そのため、上側突出部１２Ａと下側突出部１２Ｂを９０°で止着すると仮定して、基材シート８に皺が入りにくくするために、切れ込み１１と折り曲げ線１７との間の角度αを４５°にすることがより好ましい。
【００６７】
なお、図７に示すように、前記切れ込み１１の先端側端部と折り曲げ線１７の先端側端部が接していない場合も考えられる。この場合は、切れ込み１１線と折り曲げ線１７をそれぞれ延長した仮想線２１の交点を基準にして角度αを計測する。
【００６８】
また、図２に示すように、前記切れ込み１１の長さｎは、長いほど好ましい。切れ込み１１の長さｎを長くした分だけ、クロス止めの自由度が上がるからである。一方、切れ込み１１の長さｎが短いと、クロス止めの自由度が低下するとともに、基材シート８に皺が入りやすい。そのため、この切れ込み１１の長さｎは、切れ込み１１の先端側端部から基端側端部を越えて、基材シート８基端部まで延長したときの全長Ｎの２分の１以上にすることが好ましい。
【００６９】
さらに、切れ込み１１を斜め下方に設けた際に、その切れ込み１１の基端側端部が基材シート８の下端に近いと、その基端側端部を起点に基材シート８が破断し、基材シート８が２つに破れてしまう。これを防止するためには、切れ込み１１の基端側端部と基材シート８の下端との間の距離をある程度確保しておく必要がある。そこで本発明においては、図２に示すように、切れ込み１１の上下方向の長さｍを、先端側端部と基材シート８の下端との間の長さＭ１の２分の１以下にすることが好ましい。
【００７０】
なお、切れ込み１１を斜め上方に設けたときに、その切れ込み１１の基端側端部と基材シート８の上端との間の距離についても、同様に考えることができる。つまり、切れ込み１１の上下方向の長さｍを、先端側端部と基材シート８の上端との間の長さＭ２の２分の１以下にすることが好ましい。
【００７１】
また、前記基材シート８の破断を防止するため、図３に示すように、切れ込み１１の基端側端部に切り裂き止め２２を設けるようにしても良い。
【００７２】
また、前記切れ込み１１を直線状に設けたときが、最も皺が生じにくい。しかし、本発明はこれに限られるものではなく、曲線状や波状に設けても良い。
【００７３】
さらに、図８に示すように、前記切れ込み１１の先端側端部は、基材シート８の先端側縁と接していなくても良い。例えば、前記基材シート８の先端側縁から基端側へ所定の間隔を空けた位置に、切れ込み１１の先端側端部を設けても良い。このとき、基材シート８の先端側縁と切れ込み１１の先端側端部の間の距離が長くなりすぎると、需要者がこの部分を自らカットできなくなる。そのため、この部分の長さは、１０ｍｍ以内であることが好ましい。
【００７４】
前記の例のほかに、図３に示すように、基材シート８の上下方向を基準にして、上下突出部１２Ａ、１２Ｂ間の基材シート８の先端側縁から基端側へ向かって斜め下方に切れ込み１１を設けるとともに、上下突出部１２Ａ、１２Ｂ間の基材シート８の先端側縁から基端側へ向かって斜め上方に切れ込み１１を設けるようにしても良い。このように２本の切れ込み１１を設けることにより、下側の突出部１２Ｂを先に止着してクロス止めを行った際にも、上側の突出部１２Ａを先に止着してクロス止めを行った際にも、基材シート８に皺が入りにくくなる。なお、前記のような切れ込み１１を入れた場合における折り曲げ線１７は、例えば、切れ込み１１の先端側端部から基材シート８の基端側へ略水平方向に設けることができる。
【００７５】
また、図４に示すように、基材シート８の上下方向を基準にして、上下突出部１２Ａ、１２Ｂ間の基材シート８の先端側縁から基端側へ向かって、略水平方向に切れ込み１１を設けるとともに、前記切れ込み１１の基端部から基端側へ向かってさらに斜め下方へ切れ込み１１を設けるようにしても良い。このような切れ込み１１を入れることで、クロス止めの自由度が上がるとともに、基材シート８に皺が入りにくくなる。なお、このような切れ込み１１を入れた場合、例えば、略水平方向の切れ込み１１をミシン目で構成し、斜め下方の切れ込み１１を予め打ち抜いた状態で構成することができる。また、この場合における折り曲げ線１７は、例えば、略水平方向に入れた切れ込み１１の基端から基材シート８の基端側へ略水平方向に設けることができる。
【００７６】
（谷折り線）
前記クロス止めをした際、折り曲げ線１７の基端側端部または基端側端部の延長線上から切れ込み１７の中間部または基端部に向かって、谷折り線１８が生じる。この谷折り線１８は、基材シート８の内面を外側にして折り畳む谷折りの線である。
【００７７】
前記谷折り線１８は、折り曲げ線１７の位置で基材シート８が山折りされると予測し、基材シート８が谷折りされる部分に、予め形成することができる。
【００７８】
例えば、基材シート８の先端側から基端側へ向かって斜め下方に切れ込み１１を設けた場合、谷折り線１８は、その切れ込み１１から基端側へ向かって斜め上方に形成される。このとき、折り曲げ線１７と切れ込み１１と谷折り線１８に囲まれた三角形の領域が意図しない形状に折り畳まれることが防止され、基材シート８に不必要な皺が入りにくくなる。
【００７９】
前記谷折り線１８は、例えば、基材シート８に溝やエンボスを付加することによって、形成することができる。このとき、基材シート８を谷折りしやすいように、基材シート８の外面側から溝やエンボスを付加し、基材シート８の内面側に凹部が形成されるようにすると良い。
【００８０】
そのほか、破断しない程度の間隔（約３〜５ｍｍ）を空けたミシン目を設けることによって、谷折り線１８を形成しても良い。また、ミシン目ではなく、円形や楕円形等の貫通孔を破断しない程度の間隔（約３〜５ｍｍ）を空けて複数開けることによって、形成しても良い。
【００８１】
このようにして形成した折り曲げ線１８は、基材シート８よりも剛性が低いものとなる。
【００８２】
なお、消費者の判断により、基材シート８が山折り線１７と異なる部分で折り畳まれる可能性もある。このような時は、予め設けた谷折り線１８と異なる部分で谷折りがされることとなる。この場合、消費者が実際に谷折りした部分も谷折り線１８という。
【００８３】
（基材シートの弾性伸縮部材）
図５に示すように、前記基材シート８の先端部には、基材シート８の先端側から基端側へ向かって弾性伸縮部材１４を設けてもよい。この弾性伸縮部材１４を設けることにより、基材シート８の先端部が伸縮するようになるため、クロス止めをする際に、上側突出部１２Ａまたは下側突出部１２Ｂをおむつの幅方向内側へ引っ張り、止着することができる。そして、このような位置で止着した場合であっても、基材シート８に皺が入りにくくなる。
【００８４】
この弾性伸縮部材１４は、基材シート８の内面または外面に、伸張状態でホットメルト接着剤等により固定されている。この弾性伸縮部材１４としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００８５】
（製造方法）
本発明に係る基材シート８の製造において、廃棄部材を減らすために、上下の突出部１２Ａ、１２Ｂの間の離間部１３の形状と、前記突出部１２の形状とが線対称となるようにするのが好ましい。
【００８６】
そして、この基材シート８の製造過程は、まず、所定の幅の基材シート８を繰出して、中央位置に連続して面ファスナー要素９を接着する。このとき、面ファスナー要素９の代わりに、接着剤層２０を塗布しても良い。そして、前記面ファスナー要素９または接着剤層２０を交互に横切りかつ連続する波状曲線によって切断する。それとともに、各基材シート８に分割するための切断線を入れ、かつ基材シート８毎に所定位置に切れ込み１１を入れる。その後、所定位置に折り曲げ線１７を設けるようにする。
【符号の説明】
【００８７】
１…バックシート、２…トップシート、３…吸収体、４…バリヤシート、５…止着手段、６…フロントターゲットテープ、７…（おむつ本体の）糸状弾性伸縮部材、８…基材シート、９…面ファスナー要素、１０…延長線、１１…切れ込み、１２…突出部、１２Ａ…上側の突出部、１２Ｂ…下側の突出部、１３…谷部、１４…（基材シートの）弾性伸縮部材、１５…液不透過性シート、１６…セカンドシート、１７…折り曲げ線、１８…谷折り線、１９…立ち上がり部分、２０…粘着剤層、２１…仮想線、２２…切り裂き止め、Ｆ…腹側部分、Ｂ…背側部分、ｍ…切れ込みの上下方向の長さ、Ｍ１…先端側端部と基材シートの下端との間の長さ、Ｍ２…先端側端部と基材シートの上端との間の長さ、ｎ…切れ込みの長さ、Ｎ…切れ込みを先端側端部から基端側端部を越えて、基材シート基端部まで延長したときの全長、ＥＦ…エンドフラップ部、ＳＦ…サイドフラップ部、α…切れ込みと折り曲げ線の間の角度、β…上側突出部と下側突出部の間の角度
【図１】
2014198196.tif 000003
【図２】
2014198196.tif 000004
【図３】
2014198196.tif 000005
【図４】
2014198196.tif 000006
【図５】
2014198196.tif 000007
【図６】
2014198196.tif 000008
【図７】
2014198196.tif 000009
【図８】
2014198196.tif 000010
【図９】
2014198196.tif 000011
【図１０】
2014198196.tif 000012